(57)【要約】【課題】ヘアードライヤーを手で保持することなく利用するための手段を提供する。【解決手段】内蔵バネによる先端押圧挟持機能を有するクリップ体を設け、該クリップ体に回動体支持体を設け、該回動体支持体に回動可能状態と固定状態の選択を可能としてなる回動体を設け、該回動体に対して回動可能状態と固定状態の選択可能なる接続板を設け、該接続板に対して回動可能状態と固定状態の選択可能なるドライヤー保持体を設けることにより、室内適所に押圧挟持されるクリップ体と回動体および接続板を用いて空中に保持されるドライヤー保持体に、ヘアードライヤーを挿入保持させることにて、ドライヤーを人体で保持することなく、その利用を可能ならしめたことを特徴とする。【選択図】図１０
2017124135.tif 000002
【特許請求の範囲】
【請求項１】
内蔵バネによる先端押圧挟持機能を有するクリップ体を設け、該クリップ体に回動体支持体を設け、該回動体支持体に回動可能状態と固定状態の選択を可能としてなる回動体を設け、該回動体に対して回動可能状態と固定状態の選択可能なる接続板を設け、該接続板に対して回動可能状態と固定状態の選択可能なるドライヤー保持体を設けることにより、室内適所に押圧挟持されるクリップ体と回動体および接続板を用いて空中に保持されるドライヤー保持体に、ヘアードライヤーを挿入保持させることにて、ドライヤーを人体で保持することなく，その利用を可能ならしめたことを特徴とするヘアードライヤーホルダー。
【発明の詳細な説明】
【技術分野】
【０００１】  この発明は、市販のヘアードライヤーを、使用者の頭上適所に位置保持させるためのヘアードライヤーホルダーに関する。
【背景技術】
【０００２】  従来より、ヘアードライヤーは頭髪乾燥などに多用されているが、手に持って用いるものであって、本発明にて示すように、任意箇所にヘアードライヤーを保持するための専用のホルダーは見当たらない。
【発明の概要】
【発明が解決しようとする課題】
【０００３】  ヘアードライヤーは、通電により発熱した箇所から温風や熱風を吹き出して、これを頭部に当てて頭髪等を乾燥させるために用いられることが多く、上記のように手に持って使用するものである。しかし、手や腕の不自由な人にとっては、煩わしくときには補助者を必要とする作業となるが、これに対する適切な手段が見当たらないのが現状である。
本発明は以上に鑑み、ヘアードライヤーを室内任意の箇所に適切な角度にて位置させることによって、より利便性を高めたヘアードライヤーの利用を可能とする手段を提供することを目的として発明されたものである。
【課題を解決するための手段】
【０００４】  課題を解決する手段として本発明は以下の構成とした。
すなわち、内蔵バネによる先端押圧挟持機能を有するクリップ体を設け、該クリップ体に回動体支持体を設け、該回動体支持体に回動可能状態と固定状態の選択を可能としてなる回動体を設け、該回動体に対して回動可能状態と固定状態の選択可能なる接続板を設け、該接続板に対して回動可能状態と固定状態の選択可能なるドライヤー保持体を設けることにより、室内適所に押圧挟持されるクリップ体と回動体および接続板を用いて空中に保持されるドライヤー保持体に、ヘアードライヤーを挿入保持させることにて、ドライヤーを人体で保持することなく，その利用を可能ならしめる。
本発明は以上の構成よりなるヘアードライヤーホルダーである。
【発明の効果】
【０００５】  本発明は以下の効果を有する。
１．クリップ体にて室内適所にヘアードライヤー保持体を位置させ、このヘアードライヤ  ー保持体にヘアードライヤーを挿入保持させることができるので、ヘアードライヤー使  用者の頭上適所からの温風等噴出を可能として、ヘアードライヤーを人体にて保持する  ことなく、便利に利用することができる。
２．各回動体および接続板を経由して、クリップ体にドライヤー保持体を関連づけて設け  ることにより、ヘアードライヤーの空中位置とその角度を所定範囲内にて任意に設定し  て、使用者の希望に添った温風等の吹き出し方向と位置を得ることができる。
３．ヘアードライヤー保持体の保持板は、人力にて変形が可能のため、使用するヘアード  ライヤーサイズに適合させて用いることができる。
【図面の簡単な説明】
【０００６】
【図１】  本発明のヘアードライヤー保持体の平面図
【図２】  本発明のヘアードライヤー保持体の正面図
【図３】  本発明のヘアードライヤー保持体の背面図
【図４】  本発明のヘアードライヤー保持体の右側面図
【図５】  本発明のクリップ体の平面図
【図６】  本発明のクリップ体の正面図
【図７】  本発明のクリップ体の底面図
【図８】  本発明の各部接続状態の平面図
【図９】  本発明の各部接続状態の正面図
【図１０】  本発明の使用説明図
【発明を実施するための最良の形態】
【０００７】  以下、本発明の実施形態について説明する。
図において、１はヘアードライヤー保持体で、以下の構成による。
２は主板で、長方形平板であって、その裏面には２個の雌ネジ３と４が刻設される。
５は主板中央に突設される突片、６は該突片に固着して位置する保持板である。
この保持板は、下向きに縮径となる板状環体であって、その一部は切除されている。
この保持板内面には発泡合成樹脂薄手シートによるライニングが貼着される。
以上のヘアードライヤー保持体は、金属製であり、保持板は手による押圧にてその外径変更が可能である。【０００８】  １０はクリップ体である。１１は内方本体で，平板部分の正面視略中央の両側をやや幅狭として上方へ立ち上げた形状にて、クリップ体の前部内面には、連続凹凸を有するゴム板による押圧部１２が固着される。１３は前記の内方本体に近似構成の外方本体であるが、中央部分の幅寸法は内方本体よりやや大きく、その両側下降部分は内方本体の対応箇所を覆うように位置する。双方の本体の適所には孔が穿設されて。この孔に支軸１４が挿通位置する。支軸には、ねじりコイルバネ１５が支軸を内方として位置する。
従って、この双方の本体前部は、互いに当接する方向へと付勢されている。【０００９】  １６は回動体支持体で、図にて示すように外方本体上面に固着立設される。
この回動体支持体は、その上部は二股状となり、ここに孔が穿設されこの孔内に蝶ボルト１７が挿通されるとともに、蝶ナット１８にて締め付け固定されている。
２０は第一回動体で、前記の回動体支持体と同様構成物であって、二股部分を上向きにして，前記の蝶ボルトと蝶ナットにて回動体支持体に固定される。なお、蝶ナットを幾分緩めることにてこの第一回動体は蝶ボルトを回動中心として回動が可能である。【００１０】  ２１は第二回動体で、第一回動体に蝶ボルトと蝶ナットにて支持され、蝶ナットを緩めて同様に回動可能である変形直方体形状の構造物である。２２は接続主板で、金属製細長板体であってその両端近傍に孔が穿設される。この接続主板は図８にて示されるように、蝶ボルトと蝶ナットにてその一端は第二回動体に固定され、他端には蝶ボルトにて前記の主板の雌ネジ３を介してヘアードライヤー保持体が固定される。【００１１】  ２３は接続副板であって、有孔の金属製細長板体であり、その一端は蝶ボルトにて、第二回動体適所に刻設された雌ネジを介して固定され、他端は同様の接続補助板２４に蝶ボルトおよび蝶ナットを介して固定される。この接続補助板の他端は、接続主板同様に主板の雌ネジ４に蝶ボルトにて固定される。なお、接続副板および接続補助板の板厚は接続主板の半分である。以上が本発明の一実施形態である。【００１２】  次に、本発明の使用と機能について説明する。
まず、クリップ体の後部押圧にてその前部が開くので、室内適所の所定幅部分、例えば上下に延びる板状や柱状部分にクリップ体を挟持させる。
このクリップ体は、市販の洗濯ばさみに近似の構成物で、内蔵バネにてその前部は当接する方向へと付勢されており、しっかりと押圧挟持してその位置を保つことができる。
このクリップ体には既述のように，二股状の回動体支持体が固着されて位置し、この回動体支持体には第一回動体が、蝶ボルトと蝶ナットにて固定されている。
蝶ナットを緩めることにて第一回動体は回動体支持体に対して回動可能となり、蝶ナットを締めることにて、回動体支持体は合成樹脂製であるとともにその上部は二股状となっているために、幅狭方向へと若干変形して、第一回動体を押圧挟持することができる。
従って、蝶ナットの操作にて第一回動体は回動体支持体に対して固定と回動の選択が可能である。ゆえに、回動体支持体に対する第一回動体の回動位置の設定が可能である。【００１３】  第二回動体は第一回動体と同様構成物であり、同様にして第一回動体に対する第二回動体の回動位置の設定が可能である。その関係構造から、第二回動体の回動方向は、第一回動体の回動方向とは直角の方向である。
第二回動体には、接続主板および接続副板が螺着されており、既述と同様に蝶ボルトと蝶ナットにて、第二回動体に対する上記板体の回動位置設定が可能である。
また、接続副板には接続補助板が蝶ボルトと蝶ナットにて回動位置設定可能に位置している。これらの接続主板と接続補助板の先には、ヘアードライヤー保持体がその大径方向を上向きとして螺着される。以上の構成から，各蝶ナットの操作にてクリップ体位置に対するヘアードライヤー保持体の上下左右位置変更およびその角度の設定が可能となる。【００１４】  ヘアードライヤー保持体にはヘアードライヤーが、その吹き出し口を下向きとして挿入可能であって、かつ保持板の変形が可能のため、使用するヘアードライヤーサイズにも適合する。使用時は、例えば既述のごとく本装置を設定位置に取り付け、その下方にイスを位置させ、使用者はイスに腰掛けてヘアードライヤーの作動にて温風が下向きに吹き出し、この吹き出しの空中位置とその方向はあらかじめ使用者の身体サイズに適合するよう設定済みなので、ヘアードライヤーを手で保持することなく利用することができる。【００１５】  以上、本発明について記したが、本発明はヘアードライヤーを手で保持することなく利用できるところにその特徴を有している。そのために、健常者だけでなく手や腕の不自由な人でも問題なく便利に利用できるのである。
既述の構成により、室内の適当な箇所にクリップ体にて押圧挟持し、第一回動体と第二回動体の回動にてヘアードライヤー保持体を空中の任意位置に移動させ、双方の回動体の固定にてその移動後の位置保持ができる。また、第二回動体に対し、接続主板と接続補助板は同様に回動とその位置固定ができ、接続副板と接続補助板も回動とその位置固定が可能であって、接続主板と接続補助板は、ヘアードライヤー保持体の主板に対し固定されるために、第二回動体に対してもヘアードライヤー保持体の空中位置と方向を任意に設定することができる特徴を有している。【００１６】  以上のように、ヘアードライヤー保持体は接続主板と接続補助板の２箇所にて保持固定され、また第二回動体と接続補助板との間には接続副板が位置しているために、ヘアードライヤー保持体の回動と固定を円滑安定して行うことができるのである。
このヘアードライヤー保持体は既述のように上向きに大径となる形状であるために、市販のヘアードライヤーの挿入と保持が容易であるとともに、その内面にライニング処理を施しているので、ヘアードライヤー表面損傷の恐れはない。また、クリップ体の前部内面には凹凸ゴム板による押圧部を設けているために、被挟持物を傷つけることなくしっかりと押圧挟持することができる。
本発明品は，クリップ挟持方式のため、簡便に用いることができ、その運搬も容易である。なお、既述の例は実施の一例であって近似の他の構成としてもよい。
以上のごとく、本発明によって利便性の高いヘアードライヤー専用の用具を得ることができる。
【符号の説明】
【００１７】  １    ヘアードライヤー保持体
２    主板
３    雌ネジ
４    雌ネジ
５    突片
６    保持板
１０  クリップ体
１１  内方本体
１２  押圧部
１３  外方本体
１４  支軸
１５  ねじりコイルバネ
１６  回動体支持体
１７  蝶ボルト
１８  蝶ナット
２０  第一回動体
２１  第二回動体
２２  接続主板
２３  接続副板
２４  接続補助板
３０  ヘアードライヤー
【図１】
2017124135.tif 000003
【図２】
2017124135.tif 000004
【図３】
2017124135.tif 000005
【図４】
2017124135.tif 000006
【図５】
2017124135.tif 000007
【図６】
2017124135.tif 000008
【図７】
2017124135.tif 000009
【図８】
2017124135.tif 000010
【図９】
2017124135.tif 000011
【図１０】
2017124135.tif 000012